(57)【要約】【課題】露光部材を確実に保護することができ、長期にわたり信頼性を確保することのできる画像形成装置を提供すること。【解決手段】  プリンタ１において、本体ケーシング２内に配置される内側位置と、本体ケーシング２外に配置される外側位置との間を移動するように構成されている現像ドロワフレーム５７は、感光ドラム２６を露光するように構成されるＬＥＤユニット３５と、ＬＥＤユニット３５に対応し、現像ドロワフレーム５７に固定されている保護部材６９とを備え、ＬＥＤユニット３５は、感光ドラム２６を露光する露光位置と、保護部材６９によって保護される保護位置との間を移動するように構成されている。【選択図】図４
2014145964.tif 000002
【特許請求の範囲】
【請求項１】
装置本体と、
前記装置本体内に設けられる感光体と、
前記装置本体内に配置される内側位置と、前記装置本体外に配置される外側位置との間を移動するように構成されている移動部材と、
前記感光体に対応する現像剤担持体を備え、前記移動部材に支持されるように構成されるカートリッジと
を備え、
前記移動部材は、
前記感光体を露光するように構成される露光部材と、
前記露光部材に対応し、前記移動部材に固定されている保護部材と
を備え、
前記露光部材は、
前記感光体を露光する露光位置と、
前記保護部材によって保護される保護位置と
の間を移動するように構成されていることを特徴とする、画像形成装置。
【請求項２】
前記露光部材は、
前記露光位置と、
前記露光位置から、前記感光体から離れる方向に移動される退避位置と、
前記退避位置から回動される前記保護位置と
に移動可能に構成されていることを特徴とする、請求項１に記載の画像形成装置。
【請求項３】
前記移動部材は、前記露光部材を、前記露光位置、前記退避位置、および、前記保護位置に移動させるように構成されるリンク機構を備えていることを特徴とする、請求項２に記載の画像形成装置。
【請求項４】
前記リンク機構は、
前記露光部材を前記露光位置と前記退避位置との間で移動させるように構成される第１リンク部と、
前記第１リンク部と連結され、前記露光部材を前記退避位置と前記保護位置との間で移動させるように構成される第２リンク部と
を備えていることを特徴とする、請求項３に記載の画像形成装置。
【請求項５】
前記リンク機構は、前記移動部材と相対移動可能であり、前記第１リンク部と連結される第３リンク部をさらに備え、
前記第３リンク部は、
前記移動部材が前記内側位置から前記外側位置に向かって移動するときに、前記第１リンク部によって、前記露光部材を前記露光位置から前記退避位置に移動させ、
前記移動部材が前記内側位置から前記外側位置に向かってさらに移動するときに、前記第２リンク部によって、前記露光部材を前記退避位置から前記保護位置に移動させる
ことを特徴とする、請求項４に記載の画像形成装置。
【請求項６】
前記露光部材は、前記露光位置に配置されているときに前記感光体と対向する対向部を備え、
前記対向部は、前記保護位置に配置されているときに、前記保護部材と対向している
ことを特徴とする、請求項１ないし５のいずれか一項に記載の画像形成装置。
【請求項７】
装置本体と、
前記装置本体内に配置される内側位置と、前記装置本体外に配置される外側位置との間を移動するように構成されている移動部材と、
感光体および現像剤担持体を備え、前記移動部材に対して支持されるように構成されるカートリッジと
を備え、
前記移動部材は、
前記感光体を露光するように構成される露光部材と、
前記露光部材に対応し、前記移動部材に固定されている保護部材と
を備え、
前記露光部材は、
前記感光体を露光する露光位置と、
前記保護部材によって保護される保護位置と
の間を移動するように構成されていることを特徴とする、画像形成装置。
【請求項８】
前記露光部材は、
前記露光位置と、
前記露光位置から、前記感光体から離れる方向に移動される退避位置と、
前記退避位置から回動される前記保護位置と
に移動可能に構成されていることを特徴とする、請求項７に記載の画像形成装置。
【請求項９】
前記移動部材は、前記露光部材を、前記露光位置、前記退避位置、および、前記保護位置に移動させるように構成されるリンク機構を備えていることを特徴とする、請求項８に記載の画像形成装置。
【請求項１０】
前記リンク機構は、
前記露光部材を前記露光位置と前記退避位置との間で移動させるように構成される第１リンク部と、
前記第１リンク部と連結され、前記露光部材を前記退避位置と前記保護位置との間で移動させるように構成される第２リンク部と
を備えていることを特徴とする、請求項９に記載の画像形成装置。
【請求項１１】
前記リンク機構は、前記移動部材と相対移動可能であり、前記第１リンク部と連結される第３リンク部をさらに備え、
前記第３リンク部は、
前記移動部材が前記内側位置から前記外側位置に向かって移動するときに、前記第１リンク部によって、前記露光部材を前記露光位置から前記退避位置に移動させ、
前記移動部材が前記内側位置から前記外側位置に向かってさらに移動するときに、前記第２リンク部によって、前記露光部材を前記退避位置から前記保護位置に移動させる
ことを特徴とする、請求項１０に記載の画像形成装置。
【請求項１２】
前記露光部材は、前記露光位置に配置されているときに前記感光体と対向する対向部を備え、
前記対向部は、前記保護位置に配置されているときに、前記保護部材と対向している
ことを特徴とする、請求項７ないし１１のいずれか一項に記載の画像形成装置。
【発明の詳細な説明】
【技術分野】
【０００１】
本発明は、電子写真方式が採用される画像形成装置に関する。
【背景技術】
【０００２】
画像形成装置として、複数の感光体と、複数の感光体のそれぞれを露光する露光部材とを備えるプリンタが知られている。
【０００３】
このようなプリンタとして、複数の感光ドラムを有するドラムドロワと、複数の現像ユニットおよび複数のＬＥＤユニットを有する現像ドロワとを着脱自在に備えるプリンタが提案されている（例えば、特許文献１参照）。
【０００４】
このようなプリンタでは、ドラムドロワおよび現像ドロワをプリンタから離脱させるときには、まず、現像ドロワをドラムドロワから離れる方向、すなわち、ＬＥＤユニットのＬＥＤアレイが感光ドラムから離れる方向に移動させてから、現像ドロワを引き出し、次いで、ドラムドロワを引き出すように構成されている。
【０００５】
また、このようなプリンタとして、複数のＬＥＤユニットを有するプロセスユニットと、プロセスユニットに対して揺動可能なドラムユニットと、プロセスユニットに対して着脱自在に装着される現像カートリッジとを備えるプリンタが提案されている（例えば、特許文献２参照）。
【０００６】
このようなプリンタでは、プロセスユニットから現像カートリッジを離脱させるときには、その離脱動作に連動して、ドラムユニットを揺動させて、感光ドラムをＬＥＤユニットのＬＥＤアレイから離間させるとともに、ＬＥＤカバーによってＬＥＤアレイを被覆するように構成されている。
【先行技術文献】
【特許文献】
【０００７】
【特許文献１】特開２０１２−１６８２７１号公報
【特許文献２】特開２０１２−１９４３９６号公報
【発明の概要】
【発明が解決しようとする課題】
【０００８】
しかるに、特許文献１に記載のプリンタでは、現像ドロワを離脱させるときに、ＬＥＤアレイを感光ドラムから離間させてから引き出すため、ＬＥＤアレイの感光ドラムに対する摺擦や、他部材との接触を抑制することができるが、現像ドロワを引き出した後は、ＬＥＤアレイが露出されているので、ユーザ操作時にＬＥＤアレイに触れて破損したり、汚したりする不具合がある。
【０００９】
また、特許文献２に記載のプリンタでは、感光ドラムをＬＥＤアレイから離間させるとともに、ＬＥＤアレイをＬＥＤカバーにより被覆することで、ＬＥＤアレイを保護することができるものの、ＬＥＤカバーは揺動によりＬＥＤアレイを被覆するので、強度が不十分であり、プロセスユニットに現像カートリッジを装着するときに、現像カートリッジがＬＥＤカバーに干渉した場合には、ＬＥＤカバーを介してＬＥＤアレイを損傷させるという不具合がある。
【００１０】
そこで、本発明の目的は、露光部材を確実に保護することができ、長期にわたり信頼性を確保することのできる画像形成装置を提供することにある。
【課題を解決するための手段】
【００１１】
（１）上記した目的を達成するために、本発明の画像形成装置は、装置本体と、装置本体内に設けられる感光体と、装置本体内に配置される内側位置と、装置本体外に配置される外側位置との間を移動するように構成されている移動部材と、感光体に対応する現像剤担持体を備え、移動部材に支持されるように構成されるカートリッジとを備え、移動部材は、感光体を露光するように構成される露光部材と、露光部材に対応し、移動部材に固定されている保護部材とを備え、露光部材は、感光体を露光する露光位置と、保護部材によって保護される保護位置との間を移動するように構成されている。
【００１２】
このような構成によれば、露光部材は、露光位置に配置されているときには、感光体を露光することができながら、保護位置に配置されているときには、移動部材に固定されている保護部材によって保護される。保護部材は、移動部材に固定されているため、移動部材に対して揺動可能に設けられる場合と比較して、部品点数を低減しつつ、かつ、強度を高く設定することができるので、カートリッジの着脱時にカートリッジが保護部材に干渉しても、保護位置に配置される露光部材が損傷することを抑制することができる。
【００１３】
その結果、露光部材を確実に保護することができ、長期にわたり画像形成装置の信頼性を確保することができる。
（２）また、装置本体と、装置本体内に配置される内側位置と、装置本体外に配置される外側位置との間を移動するように構成されている移動部材と、感光体および現像剤担持体を備え、移動部材に対して支持されるように構成されるカートリッジとを備え、移動部材は、感光体を露光するように構成される露光部材と、露光部材に対応し、移動部材に固定されている保護部材とを備え、露光部材は、感光体を露光する露光位置と、保護部材によって保護される保護位置との間を移動するように構成されている。
【００１４】
このような構成によれば、感光体が、カートリッジに設けられる場合であっても、露光部材は、露光位置に配置されているときには、感光体を露光することができながら、保護位置に配置されているときには、移動部材に固定されている保護部材によって保護される。
【００１５】
そのため、露光部材を確実に保護することができ、長期にわたり画像形成装置の信頼性を確保することができる。
（３）また、露光部材は、露光位置と、露光位置から、感光体から離れる方向に移動される退避位置と、退避位置から回動される保護位置とに移動可能に構成されていてもよい。
【００１６】
このような構成によれば、露光部材を、露光位置から移動するときには、まず、感光体から離れる方向に移動させて、退避位置に位置させる。これにより、露光部材を、感光体と摺擦させることなく離間させることができる。
【００１７】
次いで、露光部材を退避位置から保護位置に回動させて移動させることにより、露光部材を、移動部材に固定される保護部材によって保護することができる。
【００１８】
そのため、露光部材が、感光体から離れるように退避位置に配置されることによって、感光体と摺擦されることを確実に抑制することができ、露光部材が回動して保護位置に配置されることによって、露光部材を保護部材によって確実に保護することができる。
【００１９】
その結果、露光部材を確実に保護することができ、露光部材が損傷することを抑制することができる。
（４）また、移動部材は、露光部材を、露光位置、退避位置、および、保護位置に移動させるように構成されるリンク機構を備えていてもよい。
【００２０】
このような構成によれば、露光部材は、移動部材に設けられるリンク機構によって、露光位置、退避位置、および保護位置のそれぞれに移動される。
【００２１】
そのため、リンク機構を駆動させることにより、露光部材を、簡易かつ確実に、各位置に移動させることができる。
（５）また、リンク機構は、露光部材を露光位置と退避位置との間で移動させるように構成される第１リンク部と、第１リンク部と連結され、露光部材を退避位置と保護位置との間で移動させるように構成される第２リンク部とを備えていてもよい。
【００２２】
このような構成によれば、露光部材は、リンク機構が駆動され、第１リンク部によって、露光位置と退避位置との間を移動されるとともに、第１リンク部と連結される第２リンク部によって、退避位置と保護位置との間を移動される。
【００２３】
そのため、第１リンク部と第２リンク部とを連動させることによって、露光部材を、各位置に容易に移動させることができる。
（６）また、リンク機構は、移動部材と相対移動可能であり、第１リンク部と連結される第３リンク部をさらに備え、第３リンク部は、移動部材が内側位置から外側位置に向かって移動するときに、第１リンク部によって、露光部材を露光位置から退避位置に移動させ、移動部材が内側位置から外側位置に向かってさらに移動するときに、第２リンク部によって、露光部材を退避位置から保護位置に移動させてもよい。
【００２４】
このような構成によれば、移動部材の内側位置から外側位置への移動によって、第３リンク部を移動部材に対して相対移動させることができ、第３リンク部の移動部材に対する相対移動と、第１リンク部および第２リンク部とを連動させて、露光部材を露光位置から退避位置へ、退避位置から保護位置へと移動させることができる。
【００２５】
そのため、移動部材を内側位置から外側位置へ移動させるという簡易な作業により、露光部材を保護し、露光部材の損傷を抑制することができる。
（７）また、露光部材は、露光位置に配置されているときに感光体と対向する対向部を備え、対向部は、保護位置に配置されているときに、保護部材と対向していてもよい。
【００２６】
このような構成によれば、露光部材の対向部は、露光部材が露光位置に配置されているときに、感光体と対向し、露光部材が保護位置に配置されているときに、保護部材と対向する。
【００２７】
そのため、露光部材が保護位置に配置されることによって、感光体を露光するための対向部を、移動部材に固定される保護部材によって確実に保護することができる。
【００２８】
その結果、露光部材の対向部を確実に保護することができ、長期にわたり信頼性を確保することができる。
【発明の効果】
【００２９】
本発明の画像形成装置では、露光部材を確実に保護することができ、長期にわたり信頼性を確保することができる。
【図面の簡単な説明】
【００３０】
【図１】図１は、本発明の画像形成装置の第１実施形態のプリンタを示す中央断面図、および、要部拡大図であって、ＬＥＤユニットが露光位置に配置された状態を示す。
【図２】図２は、図１に示すＬＥＤユニットの連動動作を説明するための説明図であって、フロントカバーが開放位置に配置され、本体ケーシングから現像ドロワフレームをわずかに引き出した状態を示す。
【図３】図３は、図２に引き続き、図１に示すＬＥＤユニットの連動動作を説明するための説明図であって、ＬＥＤユニットが退避位置に配置された状態を示す。
【図４】図４は、図３に引き続き、図１に示すＬＥＤユニットの連動動作を説明するための説明図であって、ＬＥＤユニットが保護位置に配置された状態を示す。
【図５】図５は、図４に引き続き、図１に示すＬＥＤユニットの連動動作を説明するための説明図であって、現像ドロワフレームが引出位置に配置された状態を示す。
【図６】図６は、部材詳細図であって、図６Ａは、ＬＥＤユニットの詳細図であり、図６Ｂは、回動プレートの詳細図であり、図６Ｃは、連動プレートの詳細図であり、図６Ｄは、台座プレートの詳細図であり、図６Ｅは、直動カムの詳細図である。
【図７】図７は、本発明の画像形成装置の第２実施形態のプリンタを示す中央断面図、および、要部拡大図であってＬＥＤユニットが露光位置に配置された状態を示す。
【図８】図８は、図７に示すＬＥＤユニットの連動動作を説明するための拡大説明図であって、図８Ａは、ＬＥＤユニットが退避位置に配置された状態を示し、図８Ｂは、ＬＥＤユニットが保護位置に配置された状態を示す。
【図９】図９は、図８に引き続き、図７に示すＬＥＤユニットの連動動作を説明するための説明図であって、現像ドロワフレームが引出位置に配置された状態を示す。
【発明を実施するための形態】
【００３１】
１．プリンタの全体構成
図１に示すように、画像形成装置の一例としてのプリンタ１は、横置きタイプの中間転写型カラープリンタである。プリンタ１は、装置本体の一例としての本体ケーシング２内において、用紙Ｐを給紙するための給紙部３と、給紙された用紙Ｐに画像を形成するための画像形成部４とを備えている。
【００３２】
なお、以下の説明において、プリンタ１の方向に言及するときには、プリンタ１を水平に載置した状態を上下の基準とする。すなわち、図１の紙面上側が上側であり、紙面下側が下側である。また、図１の紙面左側が前側であり、図１の紙面右側が後側である。また、プリンタ１を前側から見たときを左右の基準とする。すなわち、図１の紙面手前側が右側であり、紙面奥側が左側である。なお、上下方向は第１方向の一例であり、前後方向は第２方向の一例であり、左右方向は第３方向の一例である。また、上側は第１方向の一方側の一例であり、下側は第１方向の他方側の一例である。また、前側は第２方向の一方側の一例であり、後側は第２方向の他方側の一例である。また、右側は第３方向の一方側の一例であり、左側は第３方向の他方側の一例である。
（１）本体ケーシング
本体ケーシング２は、給紙部３および画像形成部４を収容する側面視略矩形状のボックス形状に形成されており、その前壁には、本体開口部６が形成されており、フロントカバー７が、その下端部を支点として、本体開口部６を閉鎖する図１に示す閉鎖位置と、本体開口部６を開放する図２〜図５に示す開放位置とに揺動可能に設けられている。
（２）給紙部
給紙部３は、図１に示すように、用紙Ｐを収容する給紙トレイ１０を備えている。給紙トレイ１０上の用紙Ｐは、ピックアップローラ１３の回転により、給紙ローラ１４と給紙パッド１５との間に送られ、給紙ローラ１４の回転により１枚ずつ捌かれる。その後、捌かれた用紙Ｐは、給紙ローラ１４の回転により、１対のピンチローラ１６の間を順次通過するように、上側の１対のレジストローラ１７間に向けて給紙され、レジストローラ１７の回転により、所定のタイミングで、画像形成部４における後述する中間転写ベルト４１と、後述する二次転写ローラ３８との間に供給される。
（３）画像形成部
画像形成部４は、給紙部３の上側に配置されており、プロセスユニット１９、転写ユニット２０および定着ユニット２１を備えている。
（３−１）プロセスユニット
プロセスユニット１９は、本体ケーシング２の上下方向略中央に配置されている。プロセスユニット１９は、各色に対応して複数、すなわち４つのドラムユニット２３と、現像ドロワ２４とを備えている。
【００３３】
ドラムユニット２３は、プロセスユニット１９の上側部分において、前後方向に互いに間隔を隔てて並列配置されている。ドラムユニット２３は、感光体の一例としての感光ドラム２６と、スコロトロン型帯電器２７とを一体的に保持している。
【００３４】
感光ドラム２６は、左右方向に延びる略円筒形状に形成されている。
【００３５】
スコロトロン型帯電器２７は、対応する感光ドラム２６の後下側に、感光ドラム２６と間隔を隔てて対向配置されている。
【００３６】
現像ドロワ２４は、複数、すなわち４つのカートリッジの一例としての現像器２９と、複数、すなわち４つの露光部材の一例としてのＬＥＤユニット３５とを備えている。
【００３７】
現像器２９は、対応する感光ドラム２６の前下側に配置されており、その内部にはトナーが貯留されている。また、現像器２９は、現像剤担持体の一例としての現像ローラ３１を備えている。
【００３８】
現像ローラ３１は、現像器２９の上端において、後上側から露出されるように回転可能に支持されており、対応する感光ドラム２６に対して前下側から接触されている。
【００３９】
なお、現像器２９は、現像ローラ３１にトナーを供給する図示しない供給ローラ、現像ローラ３１に供給されたトナーの厚みを規制する図示しない層厚規制ブレードを備えている。
【００４０】
ＬＥＤユニット３５は、対応する現像器２９の後側において、対応する感光ドラム２６に後下側から対向するように設けられている。ＬＥＤユニット３５は、左右方向に並列配置される複数のＬＥＤを有する対向部の一例としてのＬＥＤアレイ３６を備え、所定の画像データに基づいて、対応する感光ドラム２６の表面を露光する。
（３−３）転写ユニット
転写ユニット２０は、本体ケーシング２の上部において、ドラムユニット２３の上側に配置されている。転写ユニット２０は、ベルトユニット３７と二次転写ローラ３８とを備えている。
【００４１】
ベルトユニット３７は、並列配置される複数のドラムユニット２３の各感光ドラム２６に上側から対向するように、前後方向に沿って配置されている。ベルトユニット３７は、駆動ローラ３９と、従動ローラ４０と、中間転写ベルト４１と、複数、すなわち４つの一次転写ローラ４２を備えている。
【００４２】
駆動ローラ３９および従動ローラ４０は、前後方向に間隔を隔てて対向配置されている。
【００４３】
中間転写ベルト４１は、その下側部分が各感光ドラム２６に接触されるように、駆動ローラ３９および従動ローラ４０の周りに掛け渡されている。また、中間転写ベルト４１は、駆動ローラ３９の駆動、および、従動ローラ４０の従動により、各感光ドラム２６と接触する下側部分が前側から後側に向かって移動するように、周回移動されている。
【００４４】
一次転写ローラ４２は、対応する感光ドラム２６と、中間転写ベルト４１の下側部分を挟んで対向するように、設けられている。
【００４５】
二次転写ローラ３８は、ベルトユニット３７の駆動ローラ３９と、中間転写ベルト４１を挟んで対向するように、ベルトユニット３７の後側に設けられている。
（３−４）定着ユニット
定着ユニット２１は、二次転写ローラ３８の上側に配置され、加熱ローラ４３、および、加熱ローラ４３に対向する加圧ローラ４４を備えている。
（４）画像形成動作
現像器２９内のトナーは、図示しない供給ローラに供給され、さらに、現像ローラ３１に供給される。
【００４６】
現像ローラ３１に供給されたトナーは、現像ローラ３１の回転に伴って、図示しない供給ローラと現像ローラ３１との間で正極性に摩擦帯電され、図示しない層厚規制ブレードによって厚さが規制されて、一定厚さの薄層として現像ローラ３１の表面に担持される。
【００４７】
一方、感光ドラム２６の表面は、感光ドラム２６の回転に伴って、スコロトロン型帯電器２７により一様に正帯電された後、ＬＥＤユニット３５によって所定の画像データに基づいて露光される。これにより、感光ドラム２６の表面には、画像データに基づく静電潜像が形成される。そして、現像ローラ３１に担持されるトナーが感光ドラム２６の表面上の静電潜像に供給されることにより、感光ドラム２６の表面上にトナー像が担持される。
【００４８】
感光ドラム２６の表面に担持されたトナー像は、前側から後側へ移動される中間転写ベルト４１の下側部分に順次、一次転写される。これにより、中間転写ベルト４１にカラー画像が形成される。
【００４９】
中間転写ベルト４１に形成されたカラー画像は、中間転写ベルト４１が二次転写ローラ３８との間を通過する間に、給紙部３から供給される用紙Ｐに、二次転写される。
【００５０】
そして、用紙Ｐに転写されたカラー画像は、定着ユニット２１において、用紙Ｐが加熱ローラ４３と加圧ローラ４４との間を通過する間に、加熱および加圧されることによって用紙Ｐに熱定着される。
（５）排紙
本体ケーシング２の上面には、用紙Ｐが排紙される排紙トレイ４７が形成されている。また、本体ケーシング２の後側上端部には、排紙トレイ４７よりも上側へ突出する排紙部４８が形成されている。
【００５１】
排紙部４８には、排紙トレイ４７よりも上側において、用紙Ｐを排紙する排紙口４９が形成されている。また、排紙部４８は、排紙口４９内において、用紙Ｐを排紙トレイ４７へ搬送する複数、すなわち２つの排紙ローラ５０を備えている。
【００５２】
そして、定着ユニット２１においてトナー像が定着された用紙Ｐは、各排紙ローラ５０によって、排紙トレイ４７上に排紙される。
２．プロセスユニット
（１）ドラムユニット
複数のドラムユニット２３のそれぞれは、上下および前側が開放された略ボックス形状のドラムフレーム５５を有し、そのドラムフレーム５５に、上記したように、感光ドラム２６と、スコロトロン型帯電器２７とを一体的に保持している。
（２）現像ドロワ
現像ドロワ２４は、移動部材の一例としての現像ドロワフレーム５７を備えている。
【００５３】
現像ドロワフレーム５７は、平面視略矩形の有底枠形状に形成されており、本体ケーシング２内に配置される図１に示す内側位置と、本体ケーシング２から引き出される図５に示す外側位置とに、前後方向に沿って移動可能に設けられている。現像ドロワフレーム５７は、図１に示すように、図示しない１対の側壁と、前壁５８と、後壁５９と、複数、すなわち３つの区画壁６０と、底壁６１とを備えている。
【００５４】
図示しない１対の側壁は、前後方向に延びる側面視略矩形平板形状に形成され、左右方向に互いに間隔を隔てて対向配置されている。
【００５５】
前壁５８は、図示しない１対の側壁の前端部間に架設され、左右方向に延びる略平板形状に形成されている。前壁５８は、１対のフロントローラ６３と、１対の直動カム付勢部６４と、把持部６５とを備えている。
【００５６】
１対のフロントローラ６３は、前壁５８の左右方向両外側、詳しくは、図示しない１対の側壁よりも左右方向両外側において、左右方向に延びる略円筒形状に形成され、回転可能に設けられている。
【００５７】
１対の直動カム付勢部６４は、前壁５８の左右方向両外側、詳しくは、図示しない１対の側壁よりも左右方向内側、かつ、フロントローラ６３よりも左右方向内側において、前壁５８の後面から前方に向かって、略矩形状に窪むように形成されている。直動カム付勢部６４の内寸は、後述する直動カム８５のカム前端部１１７を受け入れ可能な大きさに形成されている。直動カム付勢部６４内には、図示しない付勢ばねが設けられている。
【００５８】
把持部６５は、ユーザが把持するために、前壁５８の前面に設けられている。
【００５９】
後壁５９は、図示しない１対の側壁の後端部間に架設され、左右方向に延びる略平板形状に形成されている。後壁５９は、１対のリヤローラ６７と、１対の直動カム保持部６８と、保護部材６９とを備えている。
【００６０】
１対のリヤローラ６７は、後壁５９の左右方向両外側、詳しくは、図示しない１対の側壁よりも左右方向両外側において、左右方向に延びる略円筒形状に形成され、回転可能に設けられている。１対のリヤローラ６７は、上下方向において、１対のフロントローラ６３よりも上方に配置されている。
【００６１】
１対の直動カム保持部６８は、後壁５９の左右方向両外側、詳しくは、図示しない１対の側壁よりも左右方向内側、かつ、リヤローラ６７よりも左右方向内側において、略矩形状に貫通形成されている。直動カム保持部６８の内寸は、後述する直動カム８５のカム後端部１１６を受け入れ可能な大きさに形成されている。１対の直動カム保持部６８は、前後方向に投影したときに、１対の直動カム付勢部６４と重なる位置に形成されている。
【００６２】
保護部材６９は、後壁５９の上側部分から、前側に向かって突出する平面視略矩形平板形状に形成されている。
【００６３】
区画壁６０は、前壁５８から後壁５９の間を略４等分するように、前後方向に間隔を隔てて３つ配置されており、図示しない１対の側壁間に架設され、左右方向に延びる略平板形状に形成されている。なお、区画壁６０の上側部分における左右方向両端部は、後述するリンク機構８０の直動カム８５が設けられていることにより、図示しない１対の側壁とは離間されている。区画壁６０は、その上端部において、上記した後壁５９と同様に、保護部材６９を備えている。区画壁６０の保護部材６９は、後壁５９の保護部材６９と同一高さとなるように設けられている。
【００６４】
底壁６１は、前壁５８および後壁５９の下端部間から連続するとともに、複数の区画壁６０の下端部と連続し、図示しない１対の側壁の下端部間に架設されている。底壁６１は、平面視略矩形平板形状に形成されている。底壁６１には、複数、すなわち４つの隆起部７１が形成されている。
【００６５】
複数の隆起部７１のそれぞれは、前壁５８および複数の区画壁６０のそれぞれの後側に間隔を隔てて設けられている。隆起部７１は、底壁６１の上面から上方に向かって突出し、上方に向かうに従ってその前後方向長さが短くなる側断面視略三角形状に形成されている。なお、底壁６１の左右方向両端部は、後述するリンク機構８０が設けられていることにより、図示しない１対の側壁とは離間されている。
【００６６】
現像ドロワフレーム５７において、各区画壁６０と、そのそれぞれの後側に対向する隆起部７１と、底壁６１と、図示しない１対の側壁とによって囲まれた空間、また、前端部においては、前壁５８と、最前方の隆起部７１と、底壁６１と、図示しない１対の側壁とによって囲まれた空間が、複数、すなわち４つのカートリッジ収容部７２として区画されている。
【００６７】
複数の現像器２９はそれぞれ、対応するカートリッジ収容部７２のそれぞれに着脱可能に収容されている。現像器２９は、後上側が開放された略ボックス形状の現像フレーム５２に、上記したように、現像ローラ３１と、図示しない供給ローラと、図示しない層厚規制ブレードとを一体的に保持している。
【００６８】
また、現像ドロワフレーム５７において、各区画壁６０と、そのそれぞれの前側に対向する隆起部７１と、底壁６１と、図示しない１対の側壁とによって囲まれた空間、また、後端部においては、後壁５９と、最後方の隆起部７１と、底壁６１と、図示しない１対の側壁とによって囲まれた空間が、複数、すなわち４つのＬＥＤユニット収容部７３として区画されている。
【００６９】
複数のＬＥＤユニット３５はそれぞれ、現像ドロワフレーム５７に揺動自在に支持されており、後述する保護位置に配置されるときには、対応するＬＥＤユニット収容部７３に収容される。
３．ＬＥＤユニット
複数のＬＥＤユニット３５はそれぞれ、図６Ａに示すように、上記したＬＥＤアレイ３６と、胴体部７５とを備えている。
【００７０】
ＬＥＤアレイ３６は、左右方向に延びる略杆形状に形成され、左右方向に並列配置される多数のＬＥＤを一体的に保持している。ＬＥＤアレイ３６の前後方向長さおよび左右方向長さは、保護部材６９の前後方向長さおよび左右方向長さよりも短い。ＬＥＤアレイ３６は、１対の位置決め部７４を備えている。
【００７１】
位置決め部７４は、ＬＥＤアレイ３６の左右方向両端部における上面から、上方に向かって突出する側面視略半円形状に形成されている。
【００７２】
胴体部７５は、左右方向に延び、その上側が開放された有底矩形枠形状に形成されており、その内側に、上記したＬＥＤアレイ３６の上側部分が露出されるように、ＬＥＤアレイ３６が組み付けられている。また、胴体部７５は、１対のＬＥＤ第１ボス７６と、１対のＬＥＤ第２ボス７７とを備えている。
【００７３】
１対のＬＥＤ第１ボス７６は、胴体部７５の上側部分における両側面から、左右方向外方に向かって延びる略円筒形状に形成されている。
【００７４】
１対のＬＥＤ第２ボス７７は、胴体部７５の下側部分における両側面から、左右方向外方に向かって延びる略円筒形状に形成されている。
【００７５】
また、ＬＥＤユニット３５は、図示しない付勢ばねによって、常には、感光ドラム２６に向かって付勢されている。
【００７６】
そして、このようなＬＥＤユニット３５は、現像ドロワフレーム５７が内側位置に配置された状態において、図１に示すように、ＬＥＤアレイ３６が感光ドラム２６の表面を後下側から露光する露光位置と、図３に示すように、ＬＥＤアレイ３６が感光ドラム２６から離間される退避位置と、図４に示すように、ＬＥＤアレイ３６が保護部材６９によって保護される保護位置とに移動可能である。
４．リンク機構
現像ドロワフレーム５７は、現像ドロワフレーム５７の本体ケーシング２に対する内側位置（図１参照）と外側位置（図５参照）との移動に連動して、ＬＥＤユニット３５を上記した露光位置（図１参照）、退避位置（図３参照）、および、保護位置（図４参照）に移動させるリンク機構８０を備えている。
【００７７】
リンク機構８０は、図１に示すように、第１リンク部の一例としての回動プレート８２、第２リンク部の一例としての連動プレート８３、および、第２リンク部の一例としての台座プレート８４を、それぞれ複数対、すなわち複数のＬＥＤユニット３５に対応して４対ずつと、第３リンク部の一例としての１対の直動カム８５とから構成されている。
【００７８】
なお、以下のリンク機構８０の説明において、最後部における回動プレート８２、連動プレート８３、および、台座プレート８４を、図１〜図５における拡大図、および、図６の部材詳細図を用いて説明し、最後部以外の回動プレート８２、連動プレート８３、および、台座プレート８４については、その説明を省略する。
（１）回動プレート
回動プレート８２は、図６Ｂに示すように、扇状部８８と、ボス支持部８９と、連動プレート保持部９０とを備えている。
【００７９】
扇状部８８は、中心角略１００°であって、後上方に向かうに従って広がる略扇形状の平板形状に形成されている。扇状部８８は、回動プレート軸９２を備えている。
【００８０】
回動プレート軸９２は、扇状部８８の前下側端部、すなわち、扇状部８８の曲率中心において、扇状部８８の左右方向内側面から左右方向外方に向かって突出する略円筒形状に形成されている。
【００８１】
ボス支持部８９は、扇状部８８の前端縁に沿い、扇状部８８の上端部から連続して、上方に向かって延びる略杆形状に形成されている。ボス支持部８９は、回動プレートボス９３を備えている。
【００８２】
回動プレートボス９３は、ボス支持部８９の上端部において、ボス支持部８９の左右方向内側面から左右方向外方に向かって延びる略円筒形状に形成されている。
【００８３】
連動プレート保持部９０は、扇状部８８の後下側端縁から連続して、後方に向かって延び、後方に向かうに従って、その上下方向長さが長くなる側面視略台形状の平板形状に形成されている。連動プレート保持部９０は、連動プレート軸受入穴９４と、連動プレート第１ボス受入穴９５と、連動プレート第２ボス受入穴９６と、ＬＥＤ押圧部９７とを備えている。
【００８４】
連動プレート軸受入穴９４は、連動プレート保持部９０の後下側端部において、後述する連動プレート８３の連動プレート軸１０３を受け入れ可能に、側面視円形状に貫通形成されている。
【００８５】
連動プレート第１ボス受入穴９５は、連動プレート軸受入穴９４の上方において、連動プレート軸受入穴９４を曲率中心とする曲率半径を有するように、前後方向に延びる長穴として、左右方向に貫通形成されている。連動プレート第１ボス受入穴９５は、後述する連動プレート８３の連動プレート第１ボス１０４を受け入れ可能な上下方向長さに形成されている。
【００８６】
連動プレート第２ボス受入穴９６は、連動プレート軸受入穴９４の前方において、連動プレート軸受入穴９４を曲率中心とする曲率半径を有するように、上下方向に延びる長穴として、左右方向に貫通形成されている。連動プレート第２ボス受入穴９６は、後述する連動プレート８３の連動プレート第２ボス１０６を受け入れ可能な前後方向長さに形成されている。
【００８７】
ＬＥＤ押圧部９７は、連動プレート第１ボス受入穴９５の前方において、後方に向かって膨出する側面視略矩形状平板形状に形成されている。
（２）連動プレート
連動プレート８３は、図６Ｃに示すように、桟状部１００と、三角部１０１とを備えている。
【００８８】
桟状部１００は、上下方向に延び、その上下方向における略中央３／４の範囲において略格子状となるように形成されている。桟状部１００は、連動プレート軸１０３と、連動プレート第１ボス１０４と、ＬＥＤ支持長穴１０５とを備えている。
【００８９】
連動プレート軸１０３は、桟状部１００の下端部を左右方向に貫通し、桟状部１００の左右方向内側面から左右方向外方に向かって突出する略円筒形状に形成されている。
【００９０】
連動プレート第１ボス１０４は、桟状部１００の上下方向略中央部分において、桟状部１００の格子の一部と連結し、桟状部１００の左右方向内側面から左右方向外側に向かって突出する略円筒形状に形成されている。
【００９１】
ＬＥＤ支持長穴１０５は、桟状部１００の上端部において、上下方向に延びる長穴として、左右方向に貫通形成されている。ＬＥＤ支持長穴１０５は、ＬＥＤ第１ボス７６を受け入れ可能な前後方向長さに形成されている。
【００９２】
三角部１０１は、桟状部１００の下端部における前端縁から前方に向かって膨出し、前方に向かうに従って、その上下方向長さが短くなる側面視略三角形状の平板形状に形成されている。三角部１０１は、連動プレート第２ボス１０６を備えている。
【００９３】
連動プレート第２ボス１０６は、三角部１０１の左端部を左右方向に貫通し、左右方向内側面から左右方向外方に向かって突出する略円筒形状に形成されている。
（３）台座プレート
台座プレート８４は、図６Ｄに示すように、本体部１０９を備えている。
【００９４】
本体部１０９は、前後方向に延びる側面視略矩形状の平板形状に形成されており、その後端部には、上方から下方に向かって切り欠かれる切欠１１０が形成されている。また、本体部１０９は、回動プレート軸受入穴１１１と、連動プレート第２ボス規制部１１２とを備えている。
【００９５】
回動プレート軸受入穴１１１は、本体部１０９の前上側端部において、回動プレート軸９２を受け入れ可能に、側面視円形状に貫通形成されている。
【００９６】
連動プレート第２ボス規制部１１２は、切欠１１０の下面上に配置される略杆形状に形成されている。
（４）直動カム
直動カム８５は、図６Ｅに示すように、カム直線部１１５と、カム後端部１１６と、カム前端部１１７とを備えている。
【００９７】
カム直線部１１５は、前後方向に延びる略梯子状に形成されている。カム直線部１１５には、複数、すなわち４つの回動プレートボス受入穴１１８が形成されている。
【００９８】
回動プレートボス受入穴１１８は、カム直線部１１５を前後方向に略４等分したそれぞれの前端部において、上下方向に延びる長穴として、左右方向に貫通形成されている。回動プレートボス受入穴１１８は、回動プレートボス９３を受け入れ可能な前後方向長さに形成されている。
【００９９】
カム後端部１１６は、カム直線部１１５の後端部から連続して後方に向かって突出し、その後端縁が湾曲する側面視略半円形状平板形状に形成されている。
【０１００】
カム前端部１１７は、カム直線部１１５の先端部から連続して前方に向かって突出し、その前上側端部が面取りされた側面視略矩形状の平板形状に形成されている。
（５）リンク機構とＬＥＤユニットとの組み付け状態
上記したリンク機構８０（複数対の回動プレート８２、複数対の連動プレート８３、複数対の台座プレート８４、および、直動カム８５）は、現像ドロワフレーム５７に対して、ＬＥＤユニット３５を相対移動可能に支持するように組み付けられている。
【０１０１】
具体的には、図１および図５に示すように、直動カム８５は、現像ドロワフレーム５７に対して相対移動可能に、現像ドロワフレーム５７の前壁５８および後壁５９に支持されている。詳しくは、直動カム８５のカム後端部１１６が、後壁５９よりも後方に突出するように、後壁５９の直動カム保持部６８に挿通され、カム前端部１１７が、現像ドロワフレーム５７の前壁５８の直動カム付勢部６４に受け入れられており、直動カム付勢部６４内の図示しない付勢ばねによって、常には、後方に向かって付勢されている。
【０１０２】
台座プレート８４は、対応する区画壁６０の後方における底壁６１を左右方向両外側から挟持するようにして固定されている。
【０１０３】
回動プレート８２は、その回動プレート軸９２が、対応する台座プレート８４の回動プレート軸受入穴１１１に挿通されることにより、台座プレート８４に対して相対回転可能に支持されている。また、回動プレート８２は、その回動プレートボス９３が、対応する直動カム８５の回動プレートボス受入穴１１８に挿通されることにより、直動カム８５に対して相対回転可能に組み付けられている。
【０１０４】
連動プレート８３は、その連動プレート軸１０３が回動プレート８２の連動プレート軸受入穴９４に挿通されることにより、回動プレート８２に対して相対回転可能に支持されている。また、連動プレート８３は、その連動プレート第１ボス１０４が回動プレート８２の連動プレート第１ボス受入穴９５に挿通され、その連動プレート第２ボス１０６が回動プレート８２の連動プレート第２ボス受入穴９６に挿通されることにより、回動プレート８２に対して相対回転する回転角が規制されている。
【０１０５】
そして、ＬＥＤユニット３５は、そのＬＥＤ第１ボス７６が、連動プレート８３のＬＥＤ支持長穴１０５に挿通され、そのＬＥＤ第２ボス７７が、回動プレート８２のＬＥＤ押圧部９７の下方となるように配置される。
【０１０６】
このようにして、ＬＥＤユニット３５は、リンク機構８０を介して、現像ドロワフレーム５７に相対移動可能に支持されている。
５．本体ケーシングの詳細
本体ケーシング２内には、１対のガイドレール１２２と、１対の当接壁１２３とが設けられている。
【０１０７】
１対のガイドレール１２２は、本体ケーシング２の左右両側壁の左右方向内側に設けられている。ガイドレール１２２は、ガイド直線部１２５と、ガイド後端部１２６と、ガイド前端部１２７とを備えている。
【０１０８】
ガイド直線部１２５は、前後方向に延びる略梯子状に形成されている。ガイド直線部１２５には、その上面に、ガイド面１２９が、前後方向に前後方向に延びる水平面として区画されている。
【０１０９】
ガイド後端部１２６は、ガイド直線部１２５の後端部から連続して上方に向かって延び、その前面が上方に向かうに従って後側に傾斜し、その端部から上下方向に沿って上方に延びる側面視略台形状の平板形状に形成されている。ガイド後端部１２６には、その前面に、第１傾斜面１３０が、前下方および後上方を結ぶ方向に沿って延びる傾斜面として区画され、その上面に、載置面１３１が、前後方向に延びる水平面として区画されている。
【０１１０】
ガイド前端部１２７は、台形部１３３と、補助部１３４とを備えている。
【０１１１】
台形部１３３は、ガイド直線部１２５の前端部から連続して下方に向かって延び、その前面が下方に向かうに従って前側に傾斜する側面視略台形状の平板形状に形成されている。台形部１３３は、その前面に、第１傾斜面１３０と同一角度を有する傾斜面を備えている。
【０１１２】
補助部１３４は、ガイド直線部１２５の前下側端部から前方に向かって突出するように形成されている。
【０１１３】
１対の当接壁１２３は、左右方向に投影したときに、ガイド後端部１２６と重なるようにして、１対のガイド後端部１２６の左右方向内側に設けられている。当接壁１２３は、上下方向に延び、その下端部が前方に向かって突出する略梯子状に形成されている。当接壁１２３には、その前面に、当接面１３９が、上下方向に延びる垂直面として区画されている。
６．ＬＥＤユニットの連動動作
（１）現像ドロワフレームの引き出し動作
ＬＥＤユニット３５は、現像ドロワフレーム５７が本体ケーシング２から引き出されることによって、露光位置から、退避位置に移動し、さらに引き出すことによって、退避位置から、保護位置に移動する。
（１−１）露光位置
図１に示すように、現像ドロワフレーム５７が内側位置に配置され、画像形成可能な状態において、ＬＥＤユニット３５は、露光位置に配置されている。詳しくは、現像ドロワフレーム５７の後壁５９のリヤローラ６７が、ガイドレール１２２の載置面１３１上に載置され、直動カム８５のカム後端部１１６が、当接壁１２３の当接面１３９に当接されている。
【０１１４】
これにより、現像器２９の現像ローラ３１が、感光ドラム２６に対して前下側から圧接されるとともに、直動カム８５が、直動カム付勢部６４の図示しない付勢ばねの付勢力に抗して、現像ドロワフレーム５７に対して、相対的に前側となるように保持されている。
【０１１５】
また、回動プレート８２は、回動プレート軸９２を支点として、ボス支持部８９が、前側に傾くようにして、台座プレート８４に支持され、回動プレートボス９３が、対応する直動カム８５の回動プレートボス受入穴１１８に挿通されている。
【０１１６】
また、回動プレート８２の連動プレート保持部９０は、回動プレート８２において、相対的に上側となるように位置されている。
【０１１７】
これにより、回動プレート８２に組み付けられる連動プレート８３は、現像ドロワフレーム５７において、相対的に上側に配置され、連動プレート８３に組み付けられるＬＥＤユニット３５は、現像ドロワフレーム５７において、相対的に上側に配置されている。
【０１１８】
そして、ＬＥＤユニット３５が、リンク機構８０によって、現像ドロワフレーム５７内において、相対的に上側となるように支持され、図示しない付勢ばねによって、ＬＥＤアレイ３６が後下側から感光ドラム２６に向けて付勢され、１対の位置決め部７４が、感光ドラム２６の左右方向両端部に対して後下側から当接されることで、ＬＥＤアレイ３６の多数のＬＥＤと、感光ドラム２６との距離が一定に保たれている。
【０１１９】
このようにして、ＬＥＤユニット３５は露光位置に配置されている。
（１−２）退避位置
ＬＥＤユニット３５が露光位置に配置された現像ドロワフレーム５７を、本体ケーシング２から引き出すと、その引き出し途中において、ＬＥＤユニット３５は、退避位置に配置される。
【０１２０】
現像ドロワフレーム５７を本体ケーシング２から引き出すには、まず、図２に示すように、フロントカバー７を開放位置に揺動させ、本体開口部６を開放する。
【０１２１】
そして、前壁５８の把持部６５を把持して現像ドロワフレーム５７を本体ケーシング２から引き出す。
【０１２２】
そうすると、後壁５９のリヤローラ６７が、ガイドレール１２２の載置面１３１上を載置面１３１に沿って前方に移動し、前壁５８のフロントローラ６３が、ガイドレール１２２のガイド面１２９の前端部において、ガイド面１２９に沿って前方に移動する。
【０１２３】
このとき、現像ドロワフレーム５７が本体ケーシング２に対して、前方に相対移動するが、直動カム８５は、直動カム付勢部６４の図示しない付勢ばねの付勢力により、常には、後方に向かって付勢されているので、そのカム後端部１１６が、当接面１３９に当接された状態が保持される。言い換えると、直動カム８５が、現像ドロワフレーム５７に対して後方へ相対移動される。
【０１２４】
これにより、回動プレート８２の回動プレートボス９３が、直動カム８５に追従して、現像ドロワフレーム５７に対して、後方へ相対移動し、回動プレート８２が、回動プレート軸９２を支点として、右側面視時計回りに回転する。
【０１２５】
そうすると、回動プレート８２のＬＥＤ押圧部９７が、ＬＥＤユニット３５のＬＥＤ第２ボス７７に対して前上側から当接されることにより、ＬＥＤユニット３５を後下側へ向かって押圧するようにして、後下側へ移動させる。
【０１２６】
こうして、ＬＥＤユニット３５のＬＥＤアレイ３６と、感光ドラム２６の表面とが離間される。
【０１２７】
また、前後方向において、現像ドロワフレーム５７が本体ケーシング２に対して、前方に相対移動することにより、感光ドラム２６と、現像器２９の現像ローラ３１とが離間する。
【０１２８】
次いで、図３に示すように、現像ドロワフレーム５７を本体ケーシング２から、さらに引き出すように移動させると、後壁５９のリヤローラ６７が、ガイドレール１２２の第１傾斜面１３０に沿って、前下方に移動し、前壁５８のフロントローラ６３が、ガイド前端部１２７の台形部１３３に形成される第１傾斜面１３０と同一角度を有する傾斜面に沿って、前下方に移動する。
【０１２９】
これにより、前後方向において、現像ドロワフレーム５７が本体ケーシング２に対して、さらに前方に相対移動するが、直動カム８５は、直動カム付勢部６４の図示しない付勢ばねの付勢力により、常には、後方に向かって付勢されているので、そのカム後端部１１６が、当接面１３９に当接された状態が保持される。
【０１３０】
また、回動プレート８２の回動プレートボス９３が、直動カム８５に追従して、現像ドロワフレーム５７に対して、後方へ相対移動し、回動プレート８２が、回動プレート軸９２を支点として、さらに右側面視時計回りに回転する。
【０１３１】
そうすると、回動プレート８２のＬＥＤ押圧部９７が、ＬＥＤ第２ボス７７を前上側からさらに押圧し、ＬＥＤユニット３５を後下側へ移動させる。
【０１３２】
こうして、ＬＥＤユニット３５が退避位置に配置される。
【０１３３】
このとき、ＬＥＤユニット３５は、ＬＥＤ押圧部９７とＬＥＤ第２ボス７７との当接点を支点として、回動プレート８２に対して、相対的に右側面視反時計回りに回転する。
【０１３４】
そうすると、ＬＥＤユニット３５と揺動可能に接続される連動プレート８３も、連動プレート軸１０３を支点として、回動プレート８２に対して、相対的に右側面視反時計回りに回転する。
【０１３５】
これによって、連動プレート第１ボス１０４が、連動プレート第１ボス受入穴９５内の前側に配置され、連動プレート第２ボス１０６が、連動プレート第２ボス受入穴９６の下側に配置される。
【０１３６】
また、上下方向において、現像ドロワフレーム５７が本体ケーシング２に対して、下方に相対移動することにより、感光ドラム２６と、現像器２９の現像ローラ３１とが、さらに離間する。
（１−３）保護位置
次いで、ＬＥＤユニット３５が退避位置に配置された現像ドロワフレーム５７を、本体ケーシング２からさらに引き出すと、その引き出し途中において、ＬＥＤユニット３５は、保護位置に配置される。
【０１３７】
具体的には、現像ドロワフレーム５７を本体ケーシング２からさらに引き出すと、図４に示すように、後壁５９のリヤローラ６７が、第１傾斜面１３０から、ガイド直線部１２５のガイド面１２９上に移動し、前壁５８のフロントローラ６３が、台形部１３３上から、補助部１３４上に移動する。
【０１３８】
これにより、前後方向において、現像ドロワフレーム５７が本体ケーシング２に対して、さらに前方に相対移動するが、直動カム８５は、直動カム付勢部６４の図示しない付勢ばねの付勢力により、常には、後方に向かって付勢されているので、そのカム後端部１１６が、当接面１３９に当接された状態が保持される。
【０１３９】
また、回動プレート８２の回動プレートボス９３が、直動カム８５に追従して後方へ移動し、回動プレート８２が、回動プレート軸９２を支点として、さらに右側面視時計回りに回転する。
【０１４０】
そうすると、連動プレート８３の連動プレート第２ボス１０６が、台座プレート８４の連動プレート第２ボス規制部１１２に、上側から当接されることにより、現像ドロワフレーム５７に対する相対移動が規制され、連動プレート第２ボス受入穴９６内を、下側から上側へ移動する。また、連動プレート８３の連動プレート第１ボス１０４が、連動プレート第１ボス受入穴９５内を、前側から後側へ移動する。
【０１４１】
これにより、連動プレート８３は、連動プレート軸受入穴９４を支点として、右側面視時計回りに回転し、そのＬＥＤ支持長穴１０５によって、ＬＥＤ第１ボス７６を介して、ＬＥＤ押圧部９７とＬＥＤ第２ボス７７との当接点を支点としてＬＥＤユニット３５を右側面視時計回りに回転させ、ＬＥＤアレイ３６を保護部材６９の下方に移動させる。
【０１４２】
こうして、ＬＥＤユニット３５が保護位置に配置される。
（１−４）現像器の着脱
次いで、ＬＥＤユニット３５が保護位置に配置された現像ドロワフレーム５７を、本体ケーシング２からさらに引き出すと、図５に示すように、前壁５８のフロントローラ６３が、ガイドレール１２２の補助部１３４から離間し、後壁５９のリヤローラ６７が、ガイド直線部１２５のガイド面１２９に沿って前方に移動することにより、現像ドロワフレーム５７が外側位置に配置される。
【０１４３】
このとき、連動プレート８３の連動プレート第２ボス１０６が、台座プレート８４の連動プレート第２ボス規制部１１２による規制により、連動プレート第２ボス受入穴９６の上面と当接され、回動プレート８２の台座プレート８４に対する相対回転が規制される。
【０１４４】
そのため、直動カム８５は、直動カム付勢部６４の図示しない付勢ばねの付勢力により、常には、後方に向かって付勢されているが、回動プレート８２の回動プレートボス９３のそれ以上の相対移動が規制されているので、直動カム８５の現像ドロワフレーム５７に対する後方への相対移動が規制される。
【０１４５】
これにより、現像ドロワフレーム５７を本体ケーシング２から引き出すことによって、直動カム８５のカム後端部１１６と、当接壁１２３の当接面１３９とが離間される。
【０１４６】
その後、外側位置に配置された現像ドロワフレーム５７に対して、各現像器２９を着脱する。詳しくは、現像器２９を現像ドロワフレーム５７から離脱させるには、現像器２９を上方に引き抜く。また、現像器２９を現像ドロワフレーム５７に装着するには、現像器２９を所定の位置に位置決めし、上方から現像ドロワ２４の現像ドロワフレーム５７内に挿入する。
【０１４７】
これにより、現像器２９の着脱が完了する。
（２）現像ドロワフレームの押し込み動作
ＬＥＤユニット３５は、現像ドロワフレーム５７が本体ケーシング２に対して押し込まれることによって、保護位置から退避位置に移動し、さらに押し込むことによって、退避位置から露光位置に移動する。
【０１４８】
現像ドロワフレーム５７を本体ケーシング２内に装着するには、上記した引き出し動作と逆に操作する。
【０１４９】
具体的には、ＬＥＤユニット３５が保護位置に配置された現像ドロワフレーム５７を、その後壁５９のリヤローラ６７がガイド直線部１２５のガイド面１２９上に沿って、後方に移動するように、本体ケーシング２内に押し込む。
【０１５０】
そうすると、図４に示すように、後壁５９のリヤローラ６７が、ガイドレール１２２の第１傾斜面１３０に当接するとともに、前壁５８のフロントローラ６３が、補助部１３４に乗り上げ、台形部１３３に当接する。
【０１５１】
このとき、直動カム８５のカム後端部１１６が、当接壁１２３の当接面１３９に当接する。
【０１５２】
そして、現像ドロワフレーム５７を本体ケーシング２に対してさらに押し込むと、図３に示すように、後壁５９のリヤローラ６７が、第１傾斜面１３０上に乗り上げるように移動し、前壁５８のフロントローラ６３が、補助部１３４から、台形部１３３の第１傾斜面１３０と同一角度を有する傾斜面に乗り上げるように移動する。
【０１５３】
これにより、前後方向において、現像ドロワフレーム５７が本体ケーシング２に対して、後方に相対移動するが、直動カム８５は、そのカム後端部１１６が、当接面１３９に当接することにより、直動カム付勢部６４の図示しない付勢ばねの付勢力に抗して、現像ドロワフレーム５７に対して、前方に相対移動する。
【０１５４】
そうすると、回動プレート８２の回動プレートボス９３が、直動カム８５に追従して、現像ドロワフレーム５７に対して、前方に相対移動し、回動プレート８２が、回動プレート軸９２を支点として、右側面視反時計回りに回転する。
【０１５５】
このとき、連動プレート８３の連動プレート第２ボス１０６は、台座プレート８４の連動プレート第２ボス規制部１１２に対する規制が解除されるので、ＬＥＤユニット３５は、そのＬＥＤアレイ３６が感光ドラム２６に対して後下側から対向するように、ＬＥＤ第２ボス７７を支点として、右側面視反時計回りに回転する。
【０１５６】
これにより、ＬＥＤユニット３５が退避位置に配置される。
【０１５７】
次いで、ＬＥＤユニット３５が退避位置に配置された現像ドロワフレーム５７を本体ケーシング２に対してさらに押し込むと、図２に示すように、後壁５９のリヤローラ６７が第１傾斜面１３０から、ガイド後端部１２６の載置面１３１上に移動し、前壁５８のフロントローラ６３が、台形部１３３から、ガイド直線部１２５のガイド面１２９上に移動する。
【０１５８】
これにより、前後方向において、現像ドロワフレーム５７が本体ケーシング２に対して、さらに後方に相対移動するが、直動カム８５は、そのカム後端部１１６が当接面１３９に当接されていることにより、直動カム付勢部６４の図示しない付勢ばねの付勢力に抗して、現像ドロワフレーム５７に対して、前方に相対移動する。
【０１５９】
そうすると、回動プレート８２の回動プレートボス９３が、直動カム８５に追従して、現像ドロワフレーム５７に対して、相対的に、さらに前方へ移動し、回動プレート８２が、回動プレート軸９２を支点として、右側面視反時計回りにさらに回転する。
【０１６０】
これにより、回動プレート８２の連動プレート保持部９０が、回動プレート８２において、相対的に上側となるように配置され、ＬＥＤユニット３５が、図示しない付勢ばねの付勢力によって、常には、前上方に向かって付勢されていることにより、ＬＥＤユニット３５が前上方に移動する。
【０１６１】
次いで、現像ドロワフレーム５７を本体ケーシング２に対して、さらに押し込むように移動させると、後壁５９のリヤローラ６７が、ガイドレール１２２の載置面１３１に沿って、後方に移動し、前壁５８のフロントローラ６３が、ガイドレール１２２のガイド面１２９の前端部において、後方に移動する。
【０１６２】
これにより、図１に示すように、回動プレート８２が右側面視反時計回りにさらに回転し、ＬＥＤアレイ３６の１対の位置決め部７４が、感光ドラム２６の左右方向両端部に対して後下側から当接され、ＬＥＤアレイ３６の多数のＬＥＤと、感光ドラム２６との距離が一定に保たれるようにして、ＬＥＤアレイ３６と感光ドラム２６とが対向する。
【０１６３】
そして、ＬＥＤ押圧部９７が、ＬＥＤユニット３５のＬＥＤ第２ボス７７から離間される。
【０１６４】
こうして、ＬＥＤユニット３５が露光位置に配置される。
【０１６５】
そして、フロントカバー７を閉鎖位置に揺動させ、本体開口部６を閉鎖する。
【０１６６】
以上により、現像ドロワフレーム５７の本体ケーシング２に対する装着が完了する。
７．作用効果
（１）このプリンタ１によれば、ＬＥＤユニット３５は、図１に示すように、露光位置に配置されているときには、感光ドラム２６を露光することができながら、図４に示すように、保護位置に配置されているときには、現像ドロワフレーム５７に固定されている保護部材６９によって保護される。保護部材６９は、現像ドロワフレーム５７に固定されているため、現像ドロワフレーム５７に対して揺動可能に設けられる場合と比較して、部品点数を低減しつつ、かつ、強度を高く設定することができるので、現像器２９の着脱時に現像器２９が保護部材６９に干渉しても、保護位置に配置されるＬＥＤユニット３５が損傷することを抑制することができる。
【０１６７】
また、現像ドロワフレーム５７の引き出し動作時、または、押し込み動作時において、ＬＥＤユニット３５と外部の部品とが干渉することを抑制することができる。
【０１６８】
その結果、ＬＥＤユニット３５を確実に保護することができ、長期にわたりプリンタ１の信頼性を確保することができる。
（２）また、このプリンタ１によれば、ＬＥＤユニット３５を、露光位置から移動するときには、まず、図２および図３に示すように、感光ドラム２６から離れる方向に移動させて、退避位置に位置させる。これにより、ＬＥＤユニット３５を、感光ドラム２６と摺擦させることなく離間させることができる。
【０１６９】
次いで、ＬＥＤユニット３５を退避位置から保護位置に回動させて移動させることにより、図４に示すように、ＬＥＤユニット３５を、現像ドロワフレーム５７に固定される保護部材６９によって保護することができる。
【０１７０】
そのため、ＬＥＤユニット３５が、感光ドラム２６から離れるように退避位置に配置されることによって、感光ドラム２６と摺擦されることを確実に抑制することができ、ＬＥＤユニット３５が回動して保護位置に配置されることによって、ＬＥＤユニット３５を保護部材６９によって確実に保護することができる。
【０１７１】
その結果、ＬＥＤユニット３５を確実に保護することができ、ＬＥＤユニット３５が損傷することを抑制することができる。
（３）また、このプリンタ１によれば、ＬＥＤユニット３５は、現像ドロワフレーム５７に設けられるリンク機構８０によって、露光位置（図１参照）、退避位置（図３参照）、および、保護位置（図４参照）のそれぞれに移動される。
【０１７２】
そのため、リンク機構８０を駆動させることにより、ＬＥＤユニット３５を、簡易かつ確実に、各位置に移動させることができる。
（４）また、このプリンタ１によれば、ＬＥＤユニット３５は、リンク機構８０が駆動され、回動プレート８２によって、図１および図３に示すように、露光位置と退避位置との間を移動されるとともに、回動プレート８２と連結される連動プレート８３および台座プレート８４によって、図３および図４に示すように、退避位置と保護位置との間を移動される。
【０１７３】
そのため、回動プレート８２と、連動プレート８３および台座プレート８４とを連動させることによって、ＬＥＤユニット３５を、各位置に容易に移動させることができる。
（５）また、このプリンタ１によれば、図１および図５に示すように、現像ドロワフレーム５７の内側位置から外側位置への移動によって、直動カム８５を現像ドロワフレーム５７に対して相対移動させることができ、直動カム８５の現像ドロワフレーム５７に対する相対移動と、回動プレート８２、連動プレート８３、および、台座プレート８４とを連動させて、図１および図３に示すように、ＬＥＤユニット３５を露光位置から退避位置へ、図３および図４に示すように、退避位置から保護位置へと移動させることができる。
【０１７４】
そのため、現像ドロワフレーム５７を内側位置から外側位置へ移動させるという簡易な作業により、ＬＥＤユニット３５を保護し、ＬＥＤユニット３５の損傷を抑制することができる。
（６）また、このプリンタ１によれば、ＬＥＤユニット３５のＬＥＤアレイ３６は、図１に示すように、ＬＥＤユニット３５が露光位置に配置されているときに、感光ドラム２６と対向し、図４に示すように、ＬＥＤユニット３５が保護位置に配置されているときに、保護部材６９と対向する。
【０１７５】
そのため、ＬＥＤユニット３５が保護位置に配置されることによって、感光ドラム２６を露光するためのＬＥＤアレイ３６を、現像ドロワフレーム５７に固定される保護部材６９によって確実に保護することができる。
【０１７６】
その結果、ＬＥＤユニット３５のＬＥＤアレイ３６を確実に保護することができ、長期にわたり信頼性を確保することができる。
８．第２実施形態
（１）第２実施形態の構成
図７〜図９を参照して、画像形成装置の第２実施形態を説明する。なお、第２実施形態において、上記した第１実施形態と同様の部材には同様の符号を付し、その説明を省略する。
【０１７７】
上記した第１実施形態では、画像形成部４は、図１に示すように、本体ケーシング２の上下方向略中央において、プロセスユニット１９を備えている。また、プロセスユニット１９は、複数のドラムユニット２３と、現像ドロワ２４とを備えている。
【０１７８】
そして、ドラムユニット２３は、本体ケーシング２に対して相対移動不能に設けられており、現像ドロワ２４の現像ドロワフレーム５７は、複数の現像器２９を着脱可能に備え、複数のＬＥＤユニット３５を揺動自在に備えている。
【０１７９】
これに対して、本発明の第２実施形態では、画像形成部４は、図７に示すように、本体ケーシング２の上下方向略中央において、プロセスドロワ１５１を備えている。
【０１８０】
プロセスドロワ１５１は、移動部材の一例としてのプロセスドロワフレーム１５２を備えている。
【０１８１】
プロセスドロワフレーム１５２は、複数、すなわち４つのカートリッジの一例としてのプロセスカートリッジ１５３と、複数、すなわち４つのＬＥＤユニット３５とを備えている。
【０１８２】
プロセスドロワフレーム１５２は、上記した第１実施形態の現像ドロワフレーム５７と同一の構成を有している。すなわち、プロセスドロワフレーム１５２は、平面視略矩形の有底枠形状に形成されており、本体ケーシング２内に配置される図７に示す内側位置と、本体ケーシング２から引き出される図９に示す外側位置とに、前後方向に沿って移動可能に設けられている。また、プロセスドロワフレーム１５２は、図示しない１対の側壁と、前壁５８と、後壁５９と、複数の区画壁６０と、底壁６１とを備えており、複数のカートリッジ収容部７２と、ＬＥＤユニット収容部７３とが区画されている。
【０１８３】
複数のプロセスカートリッジ１５３はそれぞれ、対応するカートリッジ収容部７２のそれぞれに着脱可能に収容されている。プロセスカートリッジ１５３は、ドラムユニット２３と、現像器２９とを一体的に備えている。ドラムユニット２３において、現像器２９の現像ローラ３１は、ドラムユニット２３の感光ドラム２６に対して前下側から圧接されるように保持されている。すなわち、ドラムユニット２３は、第１実施形態と異なり、現像器２９と連結されており、現像器２９とともにプロセスドロワ１５１から着脱可能である。
【０１８４】
ＬＥＤユニット３５は、プロセスドロワフレーム１５２の本体ケーシング２に対する内側位置（図７参照）と外側位置（図９参照）との移動に連動して、第１実施形態と同一のリンク機構８０を介して、露光位置（図７参照）、退避位置（図８Ａ参照）、および、保護位置（図８Ｂ参照）に移動可能である。
（２）第２実施形態におけるＬＥＤユニットの連動動作
（２−１）プロセスドロワフレームの引き出し動作
ＬＥＤユニット３５は、プロセスドロワフレーム１５２が本体ケーシング２から引き出されることによって、露光位置から、退避位置に移動し、さらに引き出すことによって、退避位置から、保護位置に移動する。
【０１８５】
具体的には、図７に示すように、プロセスドロワフレーム１５２が内側位置に配置され、画像形成可能な状態において、ＬＥＤユニット３５は、第１実施形態と同様の露光位置に配置されている。
【０１８６】
ＬＥＤユニット３５が露光位置に配置されたプロセスドロワフレーム１５２を、本体ケーシング２から引き出すと、その引き出し途中において、図８Ａに示すように、ＬＥＤユニット３５は、第１実施形態と同様の退避位置に配置される。
【０１８７】
次いで、ＬＥＤユニット３５が退避位置に配置されたプロセスドロワフレーム１５２を、本体ケーシング２からさらに引き出すと、その引き出し途中において、図８Ｂに示すように、ＬＥＤユニット３５は、第１実施形態と同様の保護位置に配置される。
【０１８８】
そして、ＬＥＤユニット３５が保護位置に配置されたプロセスドロワフレーム１５２を、本体ケーシング２からさらに引き出すと、図９に示すように、プロセスドロワフレーム１５２が外側位置に配置される。
【０１８９】
その後、外側位置に配置されたプロセスドロワフレーム１５２に対して、第１実施形態と同様の操作により、各現像器２９を着脱する。
（２−２）プロセスドロワフレームの押し込み動作
ＬＥＤユニット３５は、プロセスドロワフレーム１５２が本体ケーシング２に対して押し込まれることによって、保護位置から退避位置に移動し、さらに押し込むことによって、退避位置から露光位置に移動する。
【０１９０】
プロセスドロワフレーム１５２を本体ケーシング２内に装着するには、上記した引き出し動作と逆に操作する。
【０１９１】
具体的には、ＬＥＤユニット３５が保護位置に配置されたプロセスドロワフレーム１５２を、本体ケーシング２内に押し込むと、図８Ａに示すように、ＬＥＤユニット３５は、
退避位置に配置される。
【０１９２】
次いで、ＬＥＤユニット３５が退避位置に配置されたプロセスドロワフレーム１５２を本体ケーシング２に対してさらに押し込むと、図７に示すように、ＬＥＤユニット３５は、保護位置に配置される。
【０１９３】
そして、フロントカバー７を閉鎖位置に揺動させ、本体開口部６を閉鎖する。
【０１９４】
以上により、プロセスドロワフレーム１５２の本体ケーシング２に対する装着が完了する。
（３）第２実施形態の作用効果
第２実施形態によれば、感光ドラム２６が、プロセスカートリッジ１５３に設けられる場合であっても、ＬＥＤユニット３５は、図７に示すように、露光位置に配置されているときには、感光ドラム２６を露光することができながら、図８Ｂに示すように、保護位置に配置されているときには、現像ドロワフレーム５７に固定されている保護部材６９によって保護される。
【０１９５】
そのため、ＬＥＤユニット３５を確実に保護することができ、長期にわたりプリンタ１の信頼性を確保することができる。
【符号の説明】
【０１９６】
１      プリンタ
２      本体ケーシング
２６    感光ドラム
２９    現像器
３１    現像ローラ
３５    ＬＥＤユニット
３６    ＬＥＤアレイ
５７    現像ドロワフレーム
６９    保護部材
８０    リンク機構
８２    回動プレート
８３    連動プレート
８４    台座プレート
８５    直動カム８５
１５２  プロセスドロワフレーム
１５３  プロセスカートリッジ
【図１】
2014145964.tif 000003
【図２】
2014145964.tif 000004
【図３】
2014145964.tif 000005
【図４】
2014145964.tif 000006
【図５】
2014145964.tif 000007
【図６】
2014145964.tif 000008
【図７】
2014145964.tif 000009
【図８】
2014145964.tif 000010
【図９】
2014145964.tif 000011